【事件の表示】
　特願２０１４−５０３１４９「新規な組成物及び方法」拒絶査定不服審判事件〔平成２４年１０月１１日国際公開、ＷＯ２０１２／１３６７５８、平成２６年　７月　３日国内公表、特表２０１４−５１５８８０〕について、次のとおり審決する。
【結　論】
　本件審判の請求は、成り立たない。
【理　由】
第１　手続の経緯
　本願は、２０１２年４月５日（パリ条約による優先権主張　外国庁受理　２０１１年４月７日　欧州特許庁（ＥＰ）　２０１１年４月１２日　米国（ＵＳ））を国際出願日とする出願であって、手続の概要は以下のとおりである。
　拒絶理由通知　　　　　　　：平成２７年１２月１８日（起案日）
　意見書　　　　　　　　　　：平成２８年　３月１４日
　手続補正　　　　　　　　　：平成２８年　３月１４日
　拒絶査定　　　　　　　　　：平成２８年　９月２９日（起案日）
　拒絶査定不服審判請求　　　：平成２９年　２月　３日
　手続補正　　　　　　　　　：平成２９年　２月　３日
第２　平成２９年２月３日付けの手続補正についての補正却下の決定
［補正却下の決定の結論］
　平成２９年２月３日付けの手続補正を却下する。
［理由］
１．本件補正
　平成２９年２月３日付けの手続補正（以下「本件補正」という。）は、特許請求の範囲についてするもので、請求項１については、本件補正前に、
「　【請求項１】
　コア粒子を含む複合鉄基粉末組成物であって、該コア粒子が
（ａ）７重量％超から１３重量％までのケイ素と、４重量％〜７重量％のアルミニウムと、残部の鉄とから本質的になる鉄合金粒子、及び
（ｂ）アトマイズ鉄粒子
の混合物であり、該コア粒子が第１のリン含有層でコーティングされており、
　前記アトマイズ鉄粒子が
（ｉ）フィロシリケートを含む粘土鉱物と組み合わされたケイ酸アルカリであって、組み合わされたケイ素−酸素四面体層及びその水酸化物八面体層が電気的に中性であるケイ酸アルカリ、又は
（ｉｉ）金属有機層
を含む第２の層を有する、上記複合鉄基粉末組成物。」
とあったところを、
本件補正後、
「　【請求項１】
　コア粒子を含む複合鉄基粉末組成物であって、該コア粒子が
（ａ）７重量％超から１３重量％までのケイ素と、４重量％〜７重量％のアルミニウムと、残部の鉄とから本質的になる鉄合金粒子、及び
（ｂ）アトマイズ
純鉄
の混合物であり、該
粒子（ａ）及び粒子（ｂ）の混合物である
　前記アトマイズ
純鉄
及び前記鉄合金粒子
（ｉ）フィロシリケートを含む粘土鉱物と組み合わされたケイ酸アルカリであって、組み合わされたケイ素−酸素四面体層及びその水酸化物八面体層が電気的に中性であるケイ酸アルカリ、又は
（ｉｉ）金属有機層
を含む
、前記第１のリン含有層に適用された
　上記複合鉄基粉末組成物。」
とするものである。
　上記本件補正の内容は、請求項１について、発明特定事項である「アトマイズ鉄粒子」について「アトマイズ
純鉄
純鉄
及び前記鉄合金粒子
前記第１のリン含有層に適用された
　本件補正は、発明特定事項を限定するものであるから、特許法第１７条の２第５項第２号に掲げる特許請求の範囲の減縮を目的とするものに該当する。
　そこで、本件補正後の請求項１に係る発明（以下「本件補正発明」という。）が特許出願の際独立して特許を受けることができるものであるか（特許法第１７条の２第６項において準用する同法第１２６条第７項に規定する要件を満たすか）否かについて、以下検討する。
２．引用例
　原査定の拒絶の理由に引用された国際公開第２０１１／０３２９３１号（２０１１年３月２４日国際公開、以下「引用例」という。）（訳：特表２０１３−５０５５６３号公報）には、以下の記載がある。（なお、下線は当審で付与した。）
（１）「The present invention relates to a powder composition comprising an electrically insulated iron-based powder and to a process for producing the same. The invention further concerns a method for the manufacturing of soft magnetic composite components prepared from the composition, as well as the obtained component.」（１頁２〜６行）
「（訳）【０００１】
  本発明は、電気絶縁性鉄基粉末（ｉｒｏｎ−ｂａｓｅｄ  ｐｏｗｄｅｒ）を含む粉末組成物及びその製造方法に関する。本発明はさらに、この組成物から調製される軟磁性複合部品の製造方法並びに得られた部品に関する。」
（２）「To achieve at least one of the above-mentioned objects and/or further objects not mentioned, which will appear from the following description, the present invention concerns a ferromagnetic powder composition comprising soft magnetic iron-based core particles having an apparent density of 3.2-3.7 g/ml, wherein the surface of the core particles is provided with a phosphorous-based inorganic insulating layer.
Optionally, in another embodiment at least one metal-organic layer, is located outside the first phosphorous-based inorganic insulating layer, of a metal-organic compound having the following general formula:
R１[(R１)ｘ(R２)ｙ(MOｎ−１)]ｎR１
wherein M is a central atom selected from Si, Ti, Al, or Zr;
O is oxygen;
R１ is a hydrolysable group chosen from alkoxy groups having less than 4, preferably less than 3 carbon atoms.
R２ is an organic moiety and wherein at least one R２ contains at least one amino group;
wherein n is the number of repeatable units being an integer between 1 and 20;
wherein x is an integer between 0 and 1;
wherein y is an integer between 1 and 2;」（５頁７〜２９行）
「（訳）【００２０】
  少なくとも１つの上述の目的、及び／又は下記の記述から見えてくることになる言及されていないさらなる目的を達成するために、本発明は、
強磁性粉末組成物であって、
軟磁性鉄基コア粒子を含み、コア粒子の表面が、リン系無機絶縁層を備えている上記組成物
【００２１】
  所望により、他の実施形態において、
少なくとも１層の金属−有機層
    Ｒ１［（Ｒ１）ｘ（Ｒ２）ｙ（ＭＯｎ−１）］ｎＲ１
（式中、Ｍは、Ｓｉ、Ｔｉ、Ａｌ又はＺｒから選択される中心原子であり、
  Ｏは酸素であり、
  Ｒ１は、４個未満、好ましくは３個未満の炭素原子を有するアルコキシ基から選択される加水分解可能な基であり、
  Ｒ２は有機部分であり、この場合少なくとも１つのＲ２が少なくとも１つのアミノ基を含有し、
  式中ｎは、反復可能単位の数であり、１と２０の間の整数であり、
  式中ｘは、０と１の間の整数であり、
  式中ｙは１と２の間の整数である。）を有する金属−有機化合物の金属−有機層
が、前記第１のリン系無機絶縁層の外側に位置している。
（３）「
Base powder
The iron-based soft magnetic core particles may be of a water atomized, a gas atomized or a sponge iron powder, although a water atomized powder is preferred.
The iron-based soft magnetic core particles may be selected from the group consisting of essentially pure iron, alloyed iron Fe-Si having up to 7% by weight, preferably up to 3% by weight of silicon, alloyed iron selected from the groups Fe-AI, Fe-Si-AI, Fe-Ni, Fe-Ni-Co, or combinations thereof. Essentially pure iron is preferred, i.e. iron with inevitable impurities.」
「【００３２】
ベース粉末
  
鉄基軟磁性コア粒子は、水アトマイズ
、ガスアトマイズ又はスポンジ鉄粉末とすることができる
【００３３】
  
鉄基軟磁性コア粒子は、本質的に、純鉄；７重量％まで、好ましくは３重量％までのケイ素を有する合金鉄Ｆｅ−Ｓｉ；Ｆｅ−Ａｌ、Ｆｅ−Ｓｉ−Ａｌ、Ｆｅ−Ｎｉ、Ｆｅ−Ｎｉ−Ｃｏの群から選択される合金鉄、又はこれらの組合せからなる群から選択することができる。
　上記摘示事項から以下のことがいえる。
（ａ）引用例には、「強磁性粉末組成物」が記載されている（摘示事項（２））。
（ｂ）強磁性粉末組成物は、軟磁性鉄基コア粒子を含み、コア粒子の表面が、リン系無機絶縁層と、前記リン系無機絶縁層の外側に位置している少なくとも１層の金属−有機層とを備えている（摘示事項（２））。
（ｃ）鉄基軟磁性コア粒子は、水アトマイズ、ガスアトマイズ又はスポンジ鉄粉末とすることができる（摘示事項（３））。
（ｄ）鉄基軟磁性コア粒子は、本質的に、純鉄；７重量％まで、好ましくは３重量％までのケイ素を有する合金鉄Ｆｅ−Ｓｉ；Ｆｅ−Ａｌ、Ｆｅ−Ｓｉ−Ａｌ、Ｆｅ−Ｎｉ、Ｆｅ−Ｎｉ−Ｃｏの群から選択される合金鉄、又はこれらの組合せからなる群から選択することができる（摘示事項（３））。
　以上を総合勘案すると、引用例には、次の発明（以下「引用発明」という。）が記載されているものと認める。
「強磁性粉末組成物であって、
　軟磁性鉄基コア粒子を含み、コア粒子の表面が、リン系無機絶縁層と、前記リン系無機絶縁層の外側に位置している少なくとも１層の金属−有機層とを備えており、
　軟磁性鉄基コア粒子は、アトマイズ粉末とすることができ、
　軟磁性鉄基コア粒子は、本質的に、純鉄とＦｅ−Ｓｉ−Ａｌ合金鉄との組合せを選択することができる強磁性粉末組成物。」
３．対比
　そこで、本件補正発明と引用発明とを対比する。
（１）コア粒子を含む複合鉄基粉末組成物
　本願の明細書【０００２】の「軟磁性複合体は、各粒子上に電気絶縁コーティングを有する、通常は鉄基の軟磁性粒子をベースとするものであり得る。」との記載より、本件補正発明の「複合鉄基粉末」は、具体的には、「各粒子上に電気絶縁コーティングを有する、鉄基の軟磁性粒子」を意味するものと解される。
　引用発明の「強磁性粉末組成物」は、軟磁性鉄基コア粒子を含み、コア粒子の表面が絶縁層を備えている。
　したがって、本件補正発明と引用発明とは、「コア粒子を含む複合鉄基粉末組成物」である点で一致する。
（２）コア粒子
　引用発明の鉄基軟磁性コア粒子は、アトマイズ粉末とすることができ、本質的に、純鉄とＦｅ−Ｓｉ−Ａｌ合金鉄との組合せを選択することができる。そして、純鉄のアトマイズ粉末は、「アトマイズ純鉄粒子」といえる。
　したがって、本件補正発明と引用発明とは、「該コア粒子が（ａ）ケイ素と、アルミニウムと、鉄とから本質的になる鉄合金粒子、及び（ｂ）アトマイズ純鉄粒子の混合物であ」る点で一致する。
　もっとも、「ケイ素と、アルミニウムと、鉄とから本質的になる鉄合金粒子」について、本件補正発明は、「７重量％超から１３重量％までのケイ素と、４重量％〜７重量％のアルミニウムと、残部の鉄とから本質的になる」のに対し、引用発明は、重量％による組成の特定がない点で相違する。
（３）第１の層
　引用発明のコア粒子は、コア粒子の表面が、リン系無機絶縁層を備えている。
　したがって、本件補正発明と引用発明とは、「該粒子（ａ）及び粒子（ｂ）の混合物であるコア粒子が第１のリン含有層でコーティングされて」いる点で一致する。
（４）第２の層
　引用発明のコア粒子は、コア粒子の表面が、前記リン系無機絶縁層の外側に位置している少なくとも１層の金属−有機層を備えている。
　一方、本件補正発明において、「前記第１のリン含有層に適用された第２の層を有する」とは、ケイ酸アルカリでコーティングする前にリン含有層でコーティングする（【００２７】、【００２８】）こと、若しくは、金属−有機層をリンベース層の外側に配置する（【００４０】、【００４１】）ことを意味する。
　したがって、本件補正発明と引用発明とは、「前記アトマイズ純鉄粒子及び前記鉄合金粒子が（ｉｉ）金属有機層を含む、前記第１のリン含有層に適用された第２の層を有する」点で一致する。
　なお、本件補正発明は、「第２の層」が「（ｉ）フィロシリケートを含む粘土鉱物と組み合わされたケイ酸アルカリであって、組み合わされたケイ素−酸素四面体層及びその水酸化物八面体層が電気的に中性であるケイ酸アルカリ」、又は「（ｉｉ）金属有機層」を含むことを構成とするものであるから、引用発明が、「フィロシリケートを含む粘土鉱物と組み合わされたケイ酸アルカリであって、組み合わされたケイ素−酸素四面体層及びその水酸化物八面体層が電気的に中性であるケイ酸アルカリ」を含む「層」を有していなくても、相違点とはならない。
　そうすると、本件補正発明と引用発明とは、次の点で一致する。
＜一致点＞
「コア粒子を含む複合鉄基粉末組成物であって、該コア粒子が
（ａ）ケイ素と、アルミニウムと、鉄とから本質的になる鉄合金粒子、及び
（ｂ）アトマイズ純鉄粒子
の混合物であり、該粒子（ａ）及び粒子（ｂ）の混合物であるコア粒子が第１のリン含有層でコーティングされており、
　前記アトマイズ純鉄粒子及び前記鉄合金粒子が
（ｉｉ）金属有機層
を含む、前記第１のリン含有層に適用された第２の層を有する、
　上記複合鉄基粉末組成物。」の点。
　そして、次の点で相違する。
＜相違点＞
　「ケイ素と、アルミニウムと、鉄とから本質的になる鉄合金粒子」について、本件補正発明は、「７重量％超から１３重量％までのケイ素と、４重量％〜７重量％のアルミニウムと、残部の鉄とから本質的になる」のに対し、引用発明は、重量％による組成の特定がない点。
４．判断
　そこで、上記相違点について検討する。
　軟磁性材料の技術分野において、「ケイ素と、アルミニウムと、鉄とから本質的になる鉄合金」として「センダスト」は著名であり（川西健次、近角聰信、櫻井良文編、「磁気工学ハンドブック」、株式会社朝倉書店、１９９８年１１月１０日、ｐ．２９４）、当業者であれば最初に想起するといっても過言ではない。そして、その組成として９．６％Ｓｉ、４．５４％Ａｌ、残Ｆｅを中心に５〜１１％Ｓｉ、３〜８％Ａｌ、残Ｆｅ（同、ｐ．２９６）が周知であるところ、該組成は、大部分が、本件補正発明の「７重量％超から１３重量％までのケイ素と、４重量％〜７重量％のアルミニウムと、残部の鉄とから本質的になる」と重複する。
　したがって、引用発明において、「ケイ素と、アルミニウムと、鉄とから本質的になる鉄合金」として「センダスト」を採用し、その組成を「７重量％超から１３重量％までのケイ素と、４重量％〜７重量％のアルミニウムと、残部の鉄とから本質的になる」とすることは、当業者が容易に想到し得る。
　また、明細書に記載された本件補正発明が奏する効果についてみても、本件補正発明の構成のものとして当業者であれば予測し得る程度のものに過ぎず、格別顕著なものがあるとは認められない。
　なお、請求人は、審判請求書において、
「しかし、引用文献１において、ケイ素の量が７重量％までとされているのは、Ｆｅ−Ｓｉ合金であって、Ｆｅ−Ｓｉ−Ａｌ合金ではないことがそのとおりであるとしても、Ｆｅ−Ｓｉ合金を用いる場合でさえ、そのケイ素の量が７重量％までであるべきなのだから、この２成分にＡｌを加えた３成分の合金であるＦｅ−Ｓｉ−Ａｌ合金についても、そのケイ素の量が７重量％までであるべきことが教示されているものと自然に理解されます。従って、引用文献１を参照する当業者が、４重量％〜７重量％のアルミニウムと残部の鉄に加えて、７重量％超から１３重量％までのケイ素とから本質的になる鉄合金粒子を用いようと動機付けされることはないと考えられます。」
と主張している。
　しかしながら、合金は、その組成により特性が大きく異なることがあり、Ｆｅ−Ｓｉ合金における好ましい組成が、Ｆｅ−Ｓｉ−Ａｌ合金における好ましい組成に影響するとは限らないから、「Ｆｅ−Ｓｉ合金を用いる場合でさえ、そのケイ素の量が７重量％までであるべきなのだから、この２成分にＡｌを加えた３成分の合金であるＦｅ−Ｓｉ−Ａｌ合金についても、そのケイ素の量が７重量％までであるべきことが教示されているものと自然に理解され」るとはいえない。
　したがって、請求人の上記主張には根拠がない。
　よって、本件補正発明は、引用例に記載された発明に基づいて当業者が容易に発明をすることができたものであり、特許法第２９条第２項の規定により、特許出願の際独立して特許を受けることができないものである。
５．本件補正についてのむすび
　以上のとおり、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１．本願発明
　平成２９年２月３日付けの手続補正は、上記のとおり却下されたので、本願の請求項１ないし２１に係る発明は、平成２８年３月１４日付けの手続補正により補正された特許請求の範囲の請求項１ないし２１に記載された事項により特定されるものであるところ、請求項１に係る発明（以下「本願発明」という。）は、上記「第２［理由］１．」に本件補正前の請求項１として記載したとおりのものである。
２．引用例
　原査定の拒絶の理由で引用された引用例及びその記載事項は、上記「第２［理由］２．」に記載したとおりである。
３．対比・判断
　本願発明は、上記「第２［理由］３．及び４．」で検討した本件補正発明から、発明特定事項である「アトマイズ鉄粒子」について「アトマイズ
純鉄
純鉄
及び前記鉄合金粒子
前記第１のリン含有層に適用された
　そうすると、本願発明の構成要件を全て含み、さらに他の構成要件を付加したものに相当する本件補正発明が、上記「第２［理由］３．及び４．」に記載したとおり、引用例に記載された発明に基づいて当業者が容易に発明をすることができたものであるから、本願発明も、同様の理由により、引用例に記載された発明に基づいて当業者が容易に発明をすることができたものである。
第４　むすび
　以上のとおり、本願の請求項１に係る発明は、特許法第２９条第２項の規定により特許を受けることができない。
　したがって、本願は、その余の請求項について論及するまでもなく拒絶すべきものである。
　よって、結論のとおり審決する。